(57)【要約】【課題】  入賞態様の発生を許可する制御が行われているか否かを認識可能とし、その際の目線を移動させることなく、遊技に未熟な者をはじめとして、動体視力が弱い者においても目押し操作を確実に行うことを可能とする。【解決手段】  複数種類の図柄を可変表示する可変表示部（リール５０）と、可変表示する図柄を停止させるストップスイッチ１４０と、入賞態様の発生を許可するか否かを抽選する抽選手段（ＣＰＵ２０１，ＲＯＭ２０２，乱数発生器２３０，乱数サンプリング回路２４０等）とを備える。抽選手段における抽選結果が入賞態様の発生を許可した場合に、タイミング報知手段（ＬＥＤ１９０）により、当該許可された入賞態様の種類と、可変表示部の停止図柄の組合せが入賞態様を構成することが可能となるストップスイッチの操作タイミングとを、遊技者に対して視認可能に報知する。【選択図】          図１
2004243142.tif 000002
【特許請求の範囲】
【請求項１】
複数種類の図柄を循環させて可変表示する複数列の可変表示部と、
その可変表示する図柄を停止させるストップスイッチと、
前記可変表示部が予め定めた入賞態様となる図柄の組合せで停止することを許可するか否かを抽選する抽選手段とを備え、
前記抽選手段における抽選結果が入賞態様の発生を許可したことを前提条件として、前記可変表示部の停止図柄の組合せが入賞態様を構成した場合に、遊技者に利益を付与するスロットマシンにおいて、
前記抽選手段における抽選結果が入賞態様の発生を許可した場合に、当該許可された入賞態様の種類と、前記可変表示部の停止図柄の組合せが入賞態様を構成することが可能となる前記ストップスイッチの操作タイミングとを、遊技者に対して視認可能に報知するタイミング報知手段を備えたことを特徴とするスロットマシン。
【請求項２】
複数種類の図柄を循環させて可変表示する複数列の可変表示部と、
その可変表示する図柄を停止させるストップスイッチと、
発生を許可するボーナスゲームおよびその発生を許可するボーナスゲームに対応する入賞態様を複数の入賞態様から抽選する抽選手段とを備え、
前記可変表示部の停止図柄の組合せが、前記抽選手段により抽選された入賞態様を構成した場合に、その入賞態様に対応するボーナスゲームを発生させるスロットマシンにおいて、
前記抽選手段により抽選された入賞態様と、その入賞態様を構成する停止図柄の組合せを、前記可変表示部に停止させることが可能となる前記ストップスイッチの操作タイミングとを、遊技者に対して視認可能に報知するタイミング報知手段を備えたことを特徴とするスロットマシン。
【発明の詳細な説明】
【技術分野】
【０００１】
本発明は、いわゆるパチスロと称される回胴式遊技機、その他のスロットマシンに関し、特に入賞態様の発生を許可する制御が行われている旨および許可された入賞態様の種類と、入賞態様を構成させることが可能となるストップスイッチの操作タイミングとを、視認可能に報知することができるスロットマシンに関するものである。
【背景技術】
【０００２】
パチスロと称されるスロットマシンを例に説明すると、この種のスロットマシンは、外周表面に複数種類の図柄を表示したリールを横並びに３個備えている。そして、メダルの投入を条件にスタートスイッチを操作すると各リールが回転を開始し、各リールの外周表面に表示した図柄が移動表示される。この状態から各リールに個別に対応したストップスイッチを操作すると、各リールがそれぞれ停止する。
【０００３】
このような操作により全てのリールが停止した後、投入したメダル数に対応して有効となる入賞ライン上に停止した図柄の組合せが、予め定めた入賞態様を構成すると、遊技者に利益が付与される。遊技者に付与される利益とは、入賞態様に応じて賞としてのメダルが払い出されたり、あるいはいわゆるビッグボーナスやレギュラーボーナスと呼ばれ、通常遊技と比較してより多くのメダルを獲得することが可能な特別遊技を行うことができるような利益である。
【０００４】
したがって、遊技者は、図柄の組合せが入賞態様を構成するようにストップスイッチを操作することにより、スロットマシンにおける遊技を楽しむことができる。このように、入賞態様を構成させるためのストップスイッチの操作は、一般に「目押し」と称されている。
【０００５】
しかし、リールの回転中には、図柄が高速で移動表示されているため、全ての遊技者が目押し操作を行えるわけではない。すなわち、目押し操作は、動体視力に優れ、遊技に熟練した一部の遊技者のみが行える操作であった。
【０００６】
また、入賞態様の種類によって獲得できるメダル数が異なっているので、どのような入賞態様で図柄を停止表示させることができるかは、遊技者にとって重大な関心事であり、構成可能な入賞態様の種類を知りたいという要求があった。
【０００７】
そこで、従来から、遊技に未熟な者をはじめとして全ての遊技者が目押し操作を容易に行うことが可能であるとともに、入賞態様の種類を報知可能なスロットマシンが提案されている（例えば、特許文献１参照）。
【０００８】
上記特許文献１には、目押し操作のタイミングを発光あるいは発音によって遊技者に報知するとともに、報知の態様を入賞の種類に応じて変化させることができるスロットマシンが開示されている。
【０００９】
【特許文献１】特開平３−１０３４６号公報
【発明の開示】
【発明が解決しようとする課題】
【００１０】
ところで、遊技者に利益を付与する入賞態様は、ストップスイッチの操作のみに基づいて構成させることができるというものではない。すなわち、スロットマシンの制御装置内には、乱数を用いた抽選を行う抽選手段が設けられていて、抽選手段における抽選結果が入賞態様の発生を許可した場合にのみ、入賞態様を構成させることが可能となっている。換言すると、抽選手段における抽選結果が入賞態様の発生を許可していない場合には、リールの回転制御を行うことにより、目押し操作を行ったとしても、入賞態様を構成することができないようになっている。
【００１１】
したがって、上述した従来のスロットマシンでは、抽選手段における抽選結果が入賞態様の発生を許可していない場合に、報知された目押し操作のタイミングに従ってストップスイッチを操作したとしても、入賞態様を構成させることはできない。このため、遊技者に焦燥感を与えて遊技の面白さを損なってしまう。
【００１２】
また、タイミング報知手段によるタイミング報知のみでは、抽選手段における抽選結果が入賞態様の発生を許可しているか否かを判断することができないので、遊技者がタイミング報知に従わないこともあり、せっかく得ることができる利益を逃してしまうこともある。
【００１３】
本発明は上記事情に鑑みなされたものであり、入賞態様の発生を許可する制御が行われているか否かを認識することができるとともに、その際の目線を移動させることなく、遊技に未熟な者をはじめとして、動体視力が弱い者においても目押し操作を確実に行うことができる、スロットマシンを提供することを目的とするものである。
【課題を解決するための手段】
【００１４】
本発明は、上記した目的を達成するため、以下の特徴点を備えている。
すなわち、本発明のスロットマシンは、複数種類の図柄を循環させて可変表示する複数列の可変表示部と、
その可変表示する図柄を停止させるストップスイッチと、
前記可変表示部が予め定めた入賞態様となる図柄の組合せで停止することを許可するか否かを抽選する抽選手段とを備え、
前記抽選手段における抽選結果が入賞態様の発生を許可したことを前提条件として、前記可変表示部の停止図柄の組合せが入賞態様を構成した場合に、遊技者に利益を付与するスロットマシンにおいて、
前記抽選手段における抽選結果が入賞態様の発生を許可した場合に、当該許可された入賞態様の種類と、前記可変表示部の停止図柄の組合せが入賞態様を構成することが可能となる前記ストップスイッチの操作タイミングとを、遊技者に対して視認可能に報知するタイミング報知手段を備えたことを特徴とするものである。
【００１５】
このような構成からなるスロットマシンでは、抽選手段における抽選結果が入賞態様の発生を許可している場合に、タイミング報知手段により、可変表示部の停止図柄の組合せが入賞態様を構成することが可能となるストップスイッチの操作タイミングが、遊技者に対して視認可能に報知される。
また、タイミング報知手段によるタイミング報知では、抽選手段が発生を許可した入賞態様の種類が報知される。
【００１６】
すなわち、タイミング報知手段は、抽選手段において入賞態様の発生が許可された旨およびその入賞態様の種類と、ストップスイッチの操作タイミングとを、発光等により遊技者に報知する。したがって、遊技者は、このタイミング報知に基づいてストップスイッチを操作することにより、図柄の組合せが入賞態様を構成するように可変表示部を停止させることができる。
【００１７】
また、本発明のスロットマシンは、複数種類の図柄を循環させて可変表示する複数列の可変表示部と、
その可変表示する図柄を停止させるストップスイッチと、
発生を許可するボーナスゲームおよびその発生を許可するボーナスゲームに対応する入賞態様を複数の入賞態様から抽選する抽選手段とを備え、
前記可変表示部の停止図柄の組合せが、前記抽選手段により抽選された入賞態様を構成した場合に、その入賞態様に対応するボーナスゲームを発生させるスロットマシンにおいて、
前記抽選手段により抽選された入賞態様と、その入賞態様を構成する停止図柄の組合せを、前記可変表示部に停止させることが可能となる前記ストップスイッチの操作タイミングとを、遊技者に対して視認可能に報知するタイミング報知手段を備えたことを特徴とするものである。
【００１８】
このような構成からなるスロットマシンでは、抽選手段における抽選結果がボーナスゲームに対応する入賞態様の発生を許可している場合に、タイミング報知手段により、可変表示部の停止図柄の組合せがボーナスゲームに対応する入賞態様を構成することが可能となるストップスイッチの操作タイミングが、遊技者に対して視認可能に報知される。
また、タイミング報知手段によるタイミング報知では、抽選手段が発生を許可したボーナスゲームに対応する入賞態様が報知される。
【００１９】
すなわち、タイミング報知手段は、抽選手段においてボーナスゲームに対応する入賞態様の発生が許可された旨およびそのボーナスゲームに対応する入賞態様と、ストップスイッチの操作タイミングとを、発光等により遊技者に報知する。したがって、遊技者は、このタイミング報知に基づいてストップスイッチを操作することにより、図柄の組合せがボーナスゲームに対応する入賞態様を構成するように可変表示部を停止させることができる。
【発明の効果】
【００２０】
本発明のスロットマシンによれば、タイミング報知手段により、入賞態様の発生が許可されている旨および許可された入賞態様の種類と、入賞態様を構成可能なストップスイッチの操作タイミングが報知される。
【００２１】
また、本発明のスロットマシンによれば、タイミング報知手段により、ボーナスに対応する入賞態様の発生が許可されている旨および許可されたボーナスに対応する入賞態様と、ボーナスに対応する入賞態様を構成可能なストップスイッチの操作タイミングが報知される。
【００２２】
したがって、遊技に未熟な者をはじめとして、全ての遊技者が、許可された入賞態様の種類、あるいはボーナスに対応する入賞態様を認識したうえで、その際の目線を移動させることなく目押し操作を確実に行うことができ、スロットマシンにおける遊技の面白さを十分に享受することができる。
【発明を実施するための最良の形態】
【００２３】
以下、本発明の実施形態について図面を参照しつつ具体的に説明する。
図１〜４は、本発明の実施形態に係るスロットマシンの一例を示すもので、図１は、制御装置の概略構成を示すブロック図、図２は、スロットマシンの斜視図、図３は、スロットマシンの前面扉を開いた状態を示す斜視図、図４は、スロットマシンの一部を拡大した正面図である。
【００２４】
＜スロットマシン＞
本発明の実施形態に係るスロットマシン１０は、図２に示すように、前面に開閉可能な前面扉２０を有する筐体３０を備えている。上記した前面扉２０には、図２，４に示すように、その前面のほぼ中央より上部に、左右に並んだ３箇所の表示窓４０を設け、各表示窓４０には、筐体３０の内部に配置した可変表示部を構成するリール５０の外周表面がそれぞれ臨んでいる。また、前面扉２０の表示窓４０の周辺には、各表示窓４０を横断して、有効となる入賞ラインを表示するための有効ライン表示６０が施されている。なお、図２，４に示す実施例では、横３本と、この横線と交差する斜め２本の合計５本の有効ライン表示６０が施されている。
【００２５】
上記した表示窓４０の下方の前面扉２０には、図２，４に示すように、クレジットされたメダル数や、賞として払い出されたメダル数を表示するための表示部７０が設けられている。この表示部７０は、例えば、液晶表示装置により構成する。
【００２６】
上記した表示部７０の下方の前面扉２０の前面には、前面扉２０の前方に向かって下り傾斜する段部８０が設けられている。この段部８０には、遊技に供するメダルを投入するためのメダル投入口９０と、クレジットされているメダルを遊技に供するための投入スイッチ１００と、遊技者が獲得したメダルをクレジットするか払い出すかを切り替えるためのＣ／Ｐスイッチ１１０が設けられている。また、上記したメダル投入口９０に連通したメダル通路（図示せず）には、メダルを検出するためのメダルセンサ１２０（図１に示す）が配置されている。
【００２７】
上記した段部８０の下方の前面扉２０の前面には、メダルの投入を条件として各リール５０の回転を開始させるためのスタートスイッチ１３０と、各リール５０に個別に対応して各リール５０の回転を停止させるための３個のストップスイッチ１４０が設けられている。
【００２８】
さらに、前面扉２０の下部には、賞として払い出されたメダルを受け入れるメダル受皿１５０を設けるとともに、メダル受皿１５０に臨むようにして、メダル払出口１６０が設けられている。
【００２９】
上記した筐体３０の内部には、図３に示すように、各表示窓４０に外周表面を臨ませる位置に、それぞれリール５０を回転可能に配置し、メダル払出口１６０に連通する位置に、賞としてのメダルを払い出すためのホッパー１７０が配置されている。また、筐体３０の内部には、スロットマシン１０を電気的に制御するための制御装置１８０が設けられている。
【００３０】
上記した各リール５０の外周表面には、図３，４に示すように、循環状に可変表示させる複数種類の図柄を所定間隔で表示してある。図柄の種類は、例えば、赤色の「７」、青色の「７」、「ＢＡＲ」、「スイカ」、「ベル」、「プラム」、「チェリー」等であり、各リール５０毎にそれぞれ２１個の図柄が表示されている。なお、図柄の種類および各リール５０に表示する図柄の個数は、適宜変更して実施することができる。
【００３１】
上記した各表示窓４０の下方には、図４に示すように、それぞれＬＥＤ１９０が設けられている。このＬＥＤ１９０は、タイミング報知手段として機能する装置で、ＬＥＤ１９０を点滅させたり、発光の明るさを変更することにより、各表示窓４０に臨むリール５０の目押し操作のタイミングを報知することができる。また、このＬＥＤ１９０は、赤色、緑色、黄色の３色を発光可能となっていて、発光色により発生が許可された入賞態様の種類を報知することができる。例えば、赤色の「７」が３つ揃うビッグボーナスの発生が許可されている場合には、赤色で発光し、青色の「７」が３つ揃うビッグボーナスの発生が許可されている場合には、緑色で発光し、「ＢＡＲ」が３つ揃うレギュラーボーナスの発生が許可されている場合には、黄色で発光するようになっている。
【００３２】
なお、タイミング報知手段として３色発光可能なＬＥＤ１９０を用いるのではなく、それぞれ赤色、緑色、黄色を発光する３つのＬＥＤあるいはランプを、各表示窓４０の下方に配置してもよい。また、ＬＥＤ１９０を全ての表示窓４０の下方に設けるのではなく、３個の表示窓４０のうちいずれかの表示窓４０の下方にのみ設けてもよい。例えば、右側の表示窓４０の下方にのみＬＥＤ１９０を設けて、左側および中央のリール５０が停止して入賞態様が構成される可能性がある場合に、右側のリール５０におけるストップスイッチ１４０の操作タイミングを報知することもできる。
【００３３】
また、タイミング報知手段は、入賞態様の種類およびストップスイッチの操作タイミングを視認可能に報知できれば他の手段であってもよく、例えば、上記した表示部７０を構成する液晶表示装置やＣＲＴ等の画像表示装置をタイミング報知手段として利用することもできる。液晶表示装置をタイミング報知手段として利用する場合には、液晶表示装置に入賞態様の種類およびストップスイッチの操作タイミングを表示すればよい。
【００３４】
＜制御装置＞
上記した制御装置１８０を、図１に基づいて説明する。
制御装置１８０は、図１に示すように、マイクロコンピュータ２００およびその周辺回路等により構成されている。
【００３５】
このマイクロコンピュータ２００は、ＣＰＵ２０１、ＲＯＭ２０２およびＲＡＭ２０３を備えていて、ＣＰＵ２０１がＲＯＭ２０２等に記憶されたプログラムに従って動作することにより、スロットマシン１０を電気的に制御している。
【００３６】
ＣＰＵ２０１には、クロックパルス発生回路２１０が分周器２２０を介して接続されていて、ＣＰＵ２０１に対して動作クロック信号を供給する。また、ＣＰＵ２０１には、乱数発生器２３０および乱数サンプリング回路２４０が接続されていて、入賞態様発生のための抽選に用いる乱数をサンプリングする。なお、乱数サンプリング回路２４０を設けることなく、ＣＰＵ２０１を動作させるプログラミングにおいて乱数のサンプリングを行うように構成してもよい。
【００３７】
ＲＯＭ２０２には、ＣＰＵ２０１を動作させるためのプログラムと、スロットマシン１０を動作させるためのデータとが記憶されている。ＲＯＭ２０２に記憶されているデータは、例えば、サンプリングされる乱数が入賞態様の発生を許可しているか否かの判定を行うための入賞確率テーブル等の入賞判定データや、遊技の状況に対応して発生させる音声データ等である。
【００３８】
なお、上記した乱数発生器２３０と、乱数サンプリング回路２４０と、ＲＯＭ２０２に記憶された入賞判定データに基づいて判定を行うＣＰＵ２０１とが、抽選手段として機能する。
【００３９】
また、マイクロコンピュータ２００の入力側には、スタートスイッチ１３０、メダルセンサ１２０、Ｃ／Ｐスイッチ１１０、リール位置検出回路２５０、リール停止信号回路２６０、払出し完了信号回路２７０が接続されている。
【００４０】
上記した各回路をさらに詳しく説明すると、リール位置検出回路２５０は、各リール５０毎に設けられたリール回転センサ５１からのパルス信号に基づいて、各リール５０の回転位置を検出する信号を発生するための回路であり、リール停止信号回路２６０は、各ストップスイッチ１４０の操作に対応して、リール５０の停止信号を発生するための回路であり、払出し完了信号回路２７０は、メダル検出部２８０における計数値が所定値に達した場合に、払出し完了信号を発生するための回路である。なお、上記したメダル検出部２８０は、ホッパー１７０により払い出されるメダル数を計数するための装置である。
【００４１】
また、マイクロコンピュータ２００の出力側には、モータ駆動回路２９０、ホッパー駆動回路３００、ＬＥＤ駆動回路３１０、音出力回路３２０が接続されている。
【００４２】
上記した各回路をさらに詳しく説明すると、モータ駆動回路２９０は、各リール５０をそれぞれ回転駆動するステッピングモータを制御するための回路であり、ホッパー駆動回路３００は、ホッパー１７０を制御して賞としてのメダルを払い出させるための回路であり、ＬＥＤ駆動回路３１０は、ＬＥＤ１９０のオンオフを制御してタイミング報知を行わせるための回路であり、音出力回路３２０は、遊技状況に対応した効果音等をスピーカ３３０から発生させるための回路である。
【００４３】
＜制御装置におけるスロットマシンの制御＞
上記した制御装置１８０におけるスロットマシン１０の制御手順を、図５，６に示すフローチャートを参照して説明する。
図５，６は、スロットマシン１０の制御手順のうち、特にリール５０の回転制御およびストップスイッチ１４０の操作タイミングの報知制御を示すフローチャートである。
【００４４】
制御装置１８０における制御が開始すると、図５，６に示すように、リール５０の回転制御に用いる初期値や、ＲＡＭ２０３内の記憶領域のクリア等の初期設定処理（Ｓ１）が行われる。
【００４５】
そして、メダル投入口９０からメダルが投入されてメダルセンサ１２０により検出されると、ＲＡＭ２０３内の記憶領域にクレジットメダルとして記憶される。クレジットされるメダルの最大枚数は、例えば、５０枚である。遊技者は、クレジットされたメダル枚数の範囲内で遊技を行うことができる。
【００４６】
スロットマシン１０の遊技を行うには、投入スイッチ１００を操作して、遊技に供するためのメダルを投入しなければならない。メダル投入が確認されると（Ｓ２）、メダルの投入枚数に応じて、有効となる入賞ラインが決定される。例えば、１枚のメダルを投入した場合には、中央の横ライン１本が有効となり、２枚のメダルを投入した場合には、上下中央の横ライン３本が有効となり、３枚のメダルを投入した場合には、上下中央の横ライン３本と、この横ラインに交差する斜めライン２本の合計５本の入賞ラインが有効となる。この有効となった入賞ライン上に停止表示された図柄の組合せが、予め定めた入賞態様を構成した場合に、遊技者に利益が与えられる。
【００４７】
その後、スタートスイッチ１３０が操作されると（Ｓ３）、全てのリール５０が回転を開始し、所定速度まで加速される（Ｓ４）。また、スタートスイッチ１３０の操作に基づいて、乱数発生器２３０により発生した乱数が乱数サンプリング回路２４０によりサンプリングされる（Ｓ５）。このようにしてサンプリングされた乱数は、ＲＯＭ２０２に記憶されている入賞判定データに基づいて判定される。そして、サンプリングされた乱数が、予め定めた入賞態様を許可している場合には、各入賞態様の種類に対応した当たりフラグがセットされる。
【００４８】
ここで、上述した制御装置１８０の内部的な抽選における抽選結果が判断され（Ｓ６）、抽選結果が入賞態様の発生を許可せずに、いずれの当たりフラグもセットされていない場合には、ＬＥＤ１９０を消灯して（Ｓ７）、処理を復帰する。
【００４９】
一方、抽選結果が入賞態様の発生を許可して、いずれかの当たりフラグがセットされている場合には、当たりフラグの種類を判定する（Ｓ８）。
【００５０】
そして、当たりフラグの種類が、赤色の「７」が３つ揃うビッグボーナスの発生を許可している場合には、ＬＥＤ１９０を赤色で発光させて、目押し位置を報知する（Ｓ９）。また、当たりフラグの種類が、青色の「７」が３つ揃うビッグボーナスの発生を許可している場合には、ＬＥＤ１９０を緑色で発光させて、目押し位置を報知する（Ｓ１０）。また、当たりフラグの種類が、「ＢＡＲ」が３つ揃うレギュラーボーナスの発生を許可している場合には、ＬＥＤ１９０を黄色で発光させて、目押し位置を報知する（Ｓ１１）。以下、上記したビッグボーナスおよびレギュラーボーナスを構成する図柄を、大ヒット図柄と称して説明を行う。
【００５１】
なお、目押し位置とは、有効な入賞ライン上に停止表示された図柄の組合せが、入賞態様を構成させることが可能となるストップスイッチ１４０の操作タイミングのことである。また、目押し位置の報知は、目押し位置でＬＥＤ１９０を点灯し、目押し位置以外でＬＥＤ１９０を消灯することにより行う。したがって、遊技者は、ＬＥＤ１９０の点滅に合わせてストップスイッチ１４０を操作することにより、図柄の組合せがビッグボーナスあるいはレギュラーボーナスとなるようにリール５０を停止させることが可能となる。
【００５２】
また、本実施例では、上述したように、当たりフラグが大ヒット図柄の入賞態様を示す場合にのみ、ストップスイッチ１４０の操作タイミングを報知しているが、他の一般入賞図柄の場合にもストップスイッチ１４０の操作タイミングを報知してもよい。また、ストップスイッチ１４０の操作タイミングは、表示部７０を構成する液晶表示装置における表示によって報知してもよい。
【００５３】
そして、ストップスイッチ１４０が操作されるか（Ｓ１２）、あるいはストップスイッチ１４０が操作されずに所定時間が経過すると（Ｓ１３）、各表示窓４０内に回転してきた図柄の種類をチェックする（Ｓ１４）。
【００５４】
ここで、表示窓４０内に回転してきた３つの図柄中に大ヒット図柄があるかどうかを判断し（Ｓ１５）、表示窓４０内に大ヒット図柄がある場合には、表示窓４０内に大ヒット図柄が停止表示されるように、モータ駆動回路２９０の制御を行う（Ｓ１６）。そして、ＬＥＤ１９０を消灯し（Ｓ１７）、リール５０の回転を停止して表示窓４０内に大ヒット図柄を停止表示させ（Ｓ１８）、処理を復帰する。その後、図柄の停止表示態様に応じて、ビッグボーナスゲームあるいはレギュラーボーナスゲームに移行する。
【００５５】
一方、表示窓４０内に大ヒット図柄がない場合には、これから表示窓４０内に回転してくる４コマ以内の図柄をチェックする（Ｓ１９）。このような確認を行うのは、リール５０の停止制御において、４コマ以内に入賞態様を構成する図柄がある場合には、この入賞態様を構成する図柄を表示窓４０内に引き込んで停止させる制御が許されているからである。なお、図柄の確認は、リール５０に表示された図柄の配置を記憶した図柄テーブル等に基づいて行う。
【００５６】
そして、表示窓４０内に回転してくる４コマ以内に大ヒット図柄があるかどうかを判断し（Ｓ２０）、４コマ以内に大ヒット図柄がある場合には、表示窓４０内に大ヒット図柄が停止表示されるように、モータ駆動回路２９０の制御を行う（Ｓ２１）。そして、ＬＥＤ１９０を消灯し（Ｓ２２）、リール５０の回転を停止して表示窓４０内に大ヒット図柄を停止表示させ（Ｓ２３）、処理を復帰する。その後、図柄の停止表示態様に応じて、ビッグボーナスゲームあるいはレギュラーボーナスゲームに移行する。
【００５７】
一方、４コマ以内に大ヒット図柄がない場合には、入賞なしである旨をリクエストして（Ｓ２４）、表示窓４０内に大ヒット図柄が停止表示されるようなモータ駆動回路２９０の制御を行わずに、ＬＥＤ１９０を消灯し（Ｓ２５）、リール５０の回転を停止して（Ｓ２６）、処理を復帰する。この場合には、大ヒット図柄の入賞態様とはならないので、ビッグボーナスゲームあるいはレギュラーボーナスゲームは行われない。
【００５８】
なお、上述した実施例では、抽選手段における抽選結果が入賞態様の発生を許可している場合にのみ、ストップスイッチ１４０の操作タイミングを報知しているが、抽選手段における抽選結果が入賞態様の発生を許可していない場合であっても、目押し操作に基づいて入賞態様を構成できるような制御を行う場合には、抽選手段における抽選結果にかかわらず、ストップスイッチ１４０の操作タイミングを報知するように構成してもよい。
【００５９】
また、上記のように機械式リール５０を用いた場合の他、液晶ディスプレイ、プラズマディスプレイあるいはＣＲＴの画面上に図柄を循環状に可変表示するものにも適用可能であることは勿論であり、その可変表示される図柄に対するストップスイッチの操作報知にも同様に適用できる。
【図面の簡単な説明】
【００６０】
【図１】本発明の実施例に係るスロットマシンの制御装置の概略構成を示すブロック図
【図２】本発明の実施例に係るスロットマシンの斜視図
【図３】本発明の実施例に係るスロットマシンの前面扉を開いた状態を示す斜視図
【図４】本発明の実施例に係るスロットマシンの一部を拡大した正面図
【図５】制御装置におけるスロットマシンの制御手順を示すフローチャート
【図６】制御装置におけるスロットマシンの制御手順を示すフローチャート
【符号の説明】
【００６１】
１０  スロットマシン
５０  リール
７０  表示部（液晶表示装置）
１３０  スタートスイッチ
１４０  ストップスイッチ
１９０  ＬＥＤ
【図１】
2004243142.tif 000003
【図２】
2004243142.tif 000004
【図３】
2004243142.tif 000005
【図４】
2004243142.tif 000006
【図５】
2004243142.tif 000007
【図６】
2004243142.tif 000008